(57)【要約】      （修正有）【課題】動作不良が起こりにくいドレイン水冷却式集水バケット装置を提供する。【解決手段】集水バケット装置は回転軸Ｌの軸長手方向に沿って延びるロータバケット１０からなり、所定角度β内で回転軸の周りを回転して揺動自在に、ケーシング２内に内装され、前記ロータバケットは上面１０ａが開口され、断面形状が左右対称の裾窄まり形状で、その底部１０ｂは回転軸より下方に位置する。常態ではロータバケットはその上面開口を上方に指向させた集水姿勢Ａを取り、回転軸より下方部はドレイン水を貯留してバケット重し部１３を形成し、ドレイン水がロータバケットへ回転軸より上部に一定以上貯水すると、バケット重し部の常態維持モーメントＭに打ち勝ってバケットを回転傾動可能で、上面開口を側方にβ／２傾動指向させた放流姿勢Ｂを取るように構成する。【選択図】図１
0003176483.tif 000002
【実用新案登録請求の範囲】
【請求項１】
ドレイン水を集水バケットに集水し、所定以上のドレイン水が集水すると集水バケットを傾動させてドレイン水を室外熱交換器に放流して冷却させる一方、放流後の集水バケットを元の集水位置に復帰させ、集水を行わせるドレイン水冷却方式の集水バケット装置であって、
前記集水バケット装置（１）は回転軸（Ｌ）の軸長手方向に沿って延びるロータバケット（１０）からなり、所定角度（β）内で回転軸（Ｌ）の周りを回転して揺動自在に、ケーシング（２）内に内装され、
前記ロータバケット（１０）はドレイン水を受けるために上面（１０ａ）が開口され、断面形状が左右対称の裾窄まり形状で、その底部（１０ｂ）は回転軸（Ｌ）より下方に位置して、常態では前記ロータバケット（１０）はその上面開口（１０ａ）を上方に指向させた集水姿勢（Ａ）を取り、回転軸（Ｌ）より下方部はドレイン水を貯留してバケット重し部（１３）を形成し、
ドレイン水がロータバケット（１０）へ回転軸（Ｌ）より上部へ一定以上貯水すると、バケット重し部（１３）の常態維持モーメント（Ｍ）に打ち勝ってバケット（１０）を回転傾動可能で、上面開口（１０ａ）を側方にβ/2傾動指向させた放流姿勢（Ｂ）を取るように構成したことを特徴とするドレイン水自動放流式集水バケット装置。
【請求項２】
前記集水バケット装置（１）は回転軸（Ｌ）の周りを回転する左右一対のローター（１１、１１）間を渡り、軸長手方向に沿って延びる一対の受け板（１２，１２）からなるロータバケット（１０）であって、該ロータバケット（１０）は上面（１０ａ）が開口され、その回転軸線に垂直な断面形状は、９０°前後の広がり角（α）を以って均等に広がるＶ字形状をなし、その底角部（１０ｂ）は回転軸（Ｌ）より下方、直径の略三分の二に位置し、
他方、ケーシング（２）の両端内面には回転軸中心から１２０°前後のＶ字角度（β）をなして内方に突出するＶ字ストッパー（２１）を設ける一方、前記ロータバケット（１０）の両端ロータ（１１）に直立片（１３）を突設し、該直立片（１３）を介して前記ロータバケット（１０）を左右に振り子様に揺動可能に掛け置き配置し、前記直立片（１３）のＶ字ストッパー（２１）への当接によりＶ字角度（β）内で回動自在であるように、ケーシング（２）内に内装され、
前記ロータバケット（１０）を前記放流姿勢（Ｂ）で受け板（１２）が水平線より（β−α）/2度下方に傾斜するまで傾動させることを特徴とする請求項１記載の集水バケット装置。
【請求項３】
前記ケーシング（２）の上面に蓋体（３）を設け、バケットへのドレイン水の滴下を蓋体（３）にバケットの支持軸線上にあるノズル（３１）を介して左右バランスをとって集水を行なうように構成したことを特徴とする請求項１記載の集水バケット装置。
【考案の詳細な説明】
【技術分野】
【０００１】
本考案は冷房装置の冷房能力強化及び運転エネルギー省力化のため、室内機からのドレイン水を利用して室外機の熱交換器を冷却し、冷房能力の低下を防ぐドレイン冷水活用方式の集水バケット装置の改良に関するものである。
【背景技術】
【０００２】
一般家庭、店舗、オフィスビル等においては室内を快適な温度に保持するために、空気を熱源とする冷房装置がよく利用されている。
【０００３】
かかる冷房装置では室内の温度制御を行う室内機と、屋外に設置された室外機とから構成し、室内機で室内の熱を吸収し、圧縮機で冷媒を圧縮するとともに、室外機に大気を取り入れ、圧縮した冷媒と大気とを熱交換器で熱交換させるとともに凝縮させ、凝縮した冷媒を室内機に循環させるという方式が一般的である。
【０００４】
しかし、夏期の猛暑では室内の暑熱を猛暑の屋外に放熱するという仕事をする室外機を最大限稼働させているにもかかわらず、十分な冷房能力が得られず、電力が無駄に消費されるばかりでなく、さらには冷房装置をフル稼働させているので、装置の耐久性が低下する。これは夏期の昼間においては外気温が３０℃を越え、特にオフィスビルの屋上等では輻射熱等によって室外機周囲の外気温が４０℃を越えることによって熱交換効率が低下し、しかも熱交換器の汚れ等が熱交換器の効率の低下を助長していることが原因である。
【０００５】
これに対し、冷却水を噴霧ノズルによって熱交換器のフィンに向けて噴霧し、冷却水の蒸発熱を利用して熱交換器の熱交換効率を向上させ、もって所望の冷却能力を確保しつつ電力消費量を低減させるようにした冷房装置の運転エネルギー省力化装置が提案されている（特許文献１、特許文献２、参照）。
【先行技術文献】
【特許文献】
【０００６】
【特許文献１】特開２０００−２８２３０号公報
【特許文献２】特開２００１−３１７８２１号公報
【考案の開示】
【考案が解決しようとする課題】
【０００７】
しかるに、上記従来公報記載の冷房装置の運転エネルギー省力化装置では冷却水に水道水や工業用水を利用しているが、大量の冷却水を必要とし、水道料金等が高くなるなど、設備コスト・稼働コスト共に高い。しかも、熱交換器のフィンが直接噴霧した水道水等で常に濡れた状態となるので、水道水等に含まれる塩素、鉄分、カルシウム分、二酸化シリカ等が凝縮器のフィンに付着し、熱交換器のフィンや導管を短期間のうちに腐食させてしまうという問題もあった。
【０００８】
そのため、本考案者はかかる問題点に鑑み、冷房運転で発生して従来は棄てている、それは湿り空気の凝縮水であり、限りなく純水に近く冷たいドレイン水を利用することにより設備コスト高及び稼働コスト高を招来することなく、冷房能力を確保しつつ電力消費量を低減できるとともに、所期の耐久性を保証できるようにした冷房装置の運転エネルギー省力化装置を提供した（特開２００４−３０１４９２号公報）が、ドレイン水集水バケットの動作不良が起こりやすいという問題点を招来した。そこで、本考案はドレイン水集水バケットの動作不良の原因を解明し、これを解決したドレイン水冷却式集水バケット装置を提供することを目的とする。
【課題を解決するための手段】
【０００９】
本考案者はドレイン水を集水バケットに集積し、所定以上のドレイン水が集積すると集水バケットを回転させてドレイン水を室外熱交換器に放流して冷却させる一方、放流後の集水バケットを元の集水位置に復帰させ、集水を行わせるドレイン水冷却方式において、動作不良の原因は、バケットを回転軸より上方に位置させ、これとは反対に重しを回転軸下方に位置させ、両者のバランスにより、バケットにドレイン水を受け取る常態位置を取らせるようにする構成にあることに着目し、鋭意検討の結果、本考案を完成した。すなわち、本考案は、
前記集水バケット装置１は回転軸Ｌの軸長手方向に沿って延びるロータバケット１０からなり、所定角度β内で回転軸Ｌの周りを回転して揺動自在に、ケーシング２内に内装され、
前記ロータバケット１０はドレイン水を受けるために上面１０ａが開口され、断面形状が左右対称の裾窄まり形状で、その底部１０ｂは回転軸Ｌより下方に位置して、常態では前記ロータバケット１０はその上面開口１０ａを上方に指向させた集水姿勢（Ａ）を取り、回転軸Ｌより下方部はドレイン水を貯留してバケット重し部１３を形成し、
ドレイン水がロータバケット１０へ回転軸Ｌより上部へ一定以上貯水すると、バケット重し部１３の常態維持モーメントＭに打ち勝ってバケット１０を回転傾動可能で、上面開口１０ａを側方にβ/2傾動指向させた放流姿勢（Ｂ）を取るように構成したことを特徴とする。
【考案の効果】
【００１０】
本考案の特徴の１つはドレイン水を集水するバケットの底部を回転軸Ｌより下方に位置させ、常態姿勢（Ａ）を取らせるとともに、回転軸Ｌより下方部にドレイン水を貯留して重し部１３を形成する点にある。これにより、バケット１０は自重と重し部１３の貯水により常態維持モーメントMを確保し、貯水時の動作異常を回避して放流姿勢（Ｂ）までにバケット内に十分なドレイン水の貯留量を確保することができる。他方、常態姿勢への復帰動作を確実にすることができ、バケットの集水、放流時の動作不良をなくすることができる。
【００１１】
また、他の特徴はロータバケット１０は受け板１２，１２の広がり角αと、Ｖ字ストッパー２１のＶ字角度βとの関係で、前記放流姿勢（Ｂ）の（β−α）/2傾動角度を決定させることを特徴とする。これにより、バケットの余分な反転動作を避けることにより元の位置への復帰動作を確実にし、復帰遅れや復帰不能を回避することができる。
【００１２】
さらに、本考案の好ましい態様では、前記ケーシング２の上面に蓋体３を設け、バケットへのドレイン水の滴下を蓋体３にバケットの支持軸線上にあるノズル３１を介して左右バランスをとって集水を行うことにより、バケットの常態維持モーメントＭとともにバケット内の放水までの集水姿勢（Ａ）を維持し、動作不良の原因となることを防止することができる。
【図面の簡単な説明】
【００１３】
【図１】本考案の集水バケット装置の作動説明図で、（Ａ）は集水姿勢を、（Ｂ）は放流姿勢を示す。
【図２】図１の集水バケット装置の組立斜視図である。
【図３】従来公知のドレイン水冷却方式のシステム図である。
【考案を実施するための形態】
【００１４】
以下、本考案を図面に示す具体例に基づいて詳細に説明する。
図３は従来公知の冷房装置の熱交換器をドレイン水で冷却する冷却システムの構成図で、図において、室外機１００は屋外に、図示しない室内機は室内に設置され、室外機１００と室内機との間には冷媒を循環させる循環パイプ（図示せず）を設け、ドレイン水は集水バケット装置１に集水される。他方、熱交換器１０１にはフィンが設けられ、室外機ハウジング１１０内には吸引ファン１０３によって大気取り入れ面（熱交換器面）１０２を介して大気が取り込まれ、その大気と圧縮した冷媒とがフィンで熱交換を行うようになっている。
【００１５】
一般に、室外機ハウジング１１０の天板にはドレイン水の集水バケット装置１が取付けられている。このバケット装置１ではそのケーシング（筐体）２はほぼ密閉された直方体形状をなし、底壁面（底部）でドレイン水を受け得る直方体の容器形状をなし、該ハウジング２は室外機ケーシングの天板に載置されてねじ等によって室外機ケーシングの天板に固定される。
【００１６】
このケーシング２の底壁面には室外機１００の大気取り入れ面１０２側に底壁面で受けたドレイン水を例えば数秒の時間をかけて下方に流下させ得る大きさの貫通長溝が長手方向のほぼ全長にわたって形成され、その出口に下方に垂下する湾曲した誘導板が取り付けられ、ドレイン水を誘導して室外機の熱交換器１０１に放流して冷却するようになっている。
【００１７】
本考案においては、集水バケット装置１は図２に示すように、ロータバケット１０とケーシング２と蓋体３と誘導板４とその留め金具５とからなり、ケーシング２内にはロータバケット１０が設けられている。このバケット１０は回転中心軸Ｌの周りを回転する左右一対のロータ１１、１１間を渡り、軸長手方向に沿って延びる一対の受け板１２、１２からなるロータバケットであって、該バケット１０は上面１０ａが開口され、ロータ１１、１１の中心を渡る回転軸Ｌの軸線に垂直な断面形状が、９０°前後の広がり角αを以って均等に受け板１２、１２が両翼に広がり、下方に裾窄まり、底角部１０ｂは回転中心軸Ｌより下方、直径の略三分の二に位置し、その底部は回転中心軸Ｌより下方に貯留するドレイン水（斜線部）はバケットの重し部１３を形成していることを特徴としている。
【００１８】
他方、ケーシング２の両端内面には回転軸Ｌを交点として左右斜め両上方に１２０°前後の角度βでＶ字をなして広がり、且つ内方に突出するV字ストッパー２１を設ける。一方、前記バケット１０の外側に設けたロータ１１、１１には三角形状の直立片１４を固定し、これを上記Ｖ字ストッパー２１の交点に掛け置き、前記バケット１０を配置してケーシング２内に内装される。バケット１０は左右に６０°づつ回転し、１２０°のＶ字角度内で振り子のように回動自在であるとともに、両翼受け板１２は水平位置より（ストッパーV角度β−バケット開き角度α）/2下方傾斜した位置（約１５°傾斜）で前記直立片１４のＶ字ストッパー２１への当接により停止し、放流姿勢（B）を取る。
【００１９】
前記ケーシング２の上面に蓋体３を設け、バケット１０へのドレイン水Ｗの滴下を蓋体３にバケットの回転軸線上にあるノズル３１を介して左右バランスをとって落下させ、集水を行う。他方、ケーシング２内の下方には貫通長溝２２が長手方向のほぼ全長にわたって形成され、その出口に下方に垂下する湾曲した誘導板４が取り付け金具５を介して取り付けられ、ドレイン水を誘導して室外機の熱交換器１０１に放流して冷却するようになっている。
【００２０】
したがって、常態では図１（Ａ）に示すように、前記ロータバケット１０はその上面開口１０ａを上方に指向させた集水姿勢（Ａ）を取り、ドレイン水Ｗが集水バケットへ回転軸Ｌより上部へ貯水すると、重し部１３の常態維持モーメントＭに打ち勝って上面開口１０ａを回転させ、側方に指向させた図１（Ｂ）に示す放流姿勢（Ｂ）を取るように構成されている。
【００２１】
冷房装置を作動させると、室内機で冷媒と室内の空気が熱交換され、室内の熱を吸熱した冷媒は圧縮器で圧縮されるとともに、室内機から室外機１００に送られてくる。室外機１００では吸引ファン１０３が作動され、室外機１００のハウジング内にはその大気取入れ面１０２側から大気が取り入れられており、図示しない室内機からの冷媒は熱交換器１０１で大気と熱交換されて凝縮され、室内機に戻される。
【００２２】
その際、室内機で冷媒と室内の空気が熱交換されると、ドレイン水が発生し、このドレイン水は室内機からドレインホースを経て排出される。ドレインホースは集水バケット装置１に接続されており、室内機からのドレイン水はハウジング２内に流れ落ちる。ハウジング２内ではロータバケット１０は常態ではバケット１０の自重によって水平な集水姿勢（Ａ）をとっており、ハウジング２内に流れ落ちたドレイン水Ｗはバケット１０の上部開口１０ａを経てバケット内部で受けられて貯留される。
【００２３】
ロータバケット１０内のドレイン水Ｗの水面が回転中心軸Ｌのレベルを超え、中心軸Ｌまでの重し部１２の常態維持モーメントＭに打ち勝つ回転モーメントが得られるようになると、バケット１０は上述の集水姿勢（Ａ）から６０°回動し、バケットのいずれか一方の受け板１２は水平レベルから下方１５°、すなわち（β−α）／２傾斜した位置で、直立片１４がＶ字ストッパー２１に当接するので、その位置で停止する。そこで、放流姿勢（Ｂ）をとり、バケット１０に貯留されていたドレイン水はハウジング２内に放流される。
【００２４】
すると、ハウジング２の底部では放流されたドレイン水が貫通長溝２２から一斉に流下されて誘導板４で受けられ、誘導板４で長手方向に拡がって分散されながら下方に放流し、ドレイン水は室外機１００の大気取り入れ面１０２の上端部位に流れて大気取り入れ面１０２に伝わり、大気取り入れ面１０２に沿って下方に放流し、大気取り入れ面１０２の全面を濡らし、熱交換器１０１のフィンの熱によって蒸発され、不足する冷媒凝縮能力を補佐することで冷房能力防止の低下とともに運転エネルギーを省力化する。
【００２５】
ドレイン水を放流したバケット１０はバケットの自重によって元の集水姿勢（Ａ）に戻り、続いて室内機のドレイン水を受けることとなる。上述のような動作が繰り返され、室外機１００の大気取り入れ面１０２はドレイン水によって間欠的に濡らされ、冷却され、熱交換効率が向上される。
【符号の説明】
【００２６】
１      ドレイン水集水バケット装置
１０    ロータバケット
１３    重し部
１４    直立片
２      ハウジング（筐体）
２１    Ｖ字ストッパー
３      蓋体
３１  ノズル
Ｍ    常態維持モーメント
【図１】
0003176483.tif 000003
【図２】
0003176483.tif 000004
【図３】
0003176483.tif 000005